(57)【要約】【課題】払拭作業の作業効率を高くすることのできるモップ用払拭体が求められている。【解決手段】モップ用払拭体１は、並行して配置された一対の柄装着帯部２Ａ，２Ｂの間を糸条４が各柄装着帯部２Ａ，２Ｂで縫着（縫目６，６）されながら多数回往復することにより、柄装着帯部２Ａ，２Ｂ間に前記糸条４から成る払拭面部１２（１４），１３（１５）が形成され、払拭面部１２（１４），１３（１５）における柄装着帯部２Ａ，２Ｂ間の略中央部（一点鎖線Ｒ）が折り返し部１１として折り返されて一対の柄装着帯部２Ａ，２Ｂが着脱自在に重ね合わせられ、重ね合わせられた一対の柄装着帯部２Ａ，２Ｂが一体でモップ柄の挟持具に挟持されるように構成されたものである。【選択図】      図１
2004166857.tif 000002
【特許請求の範囲】
【請求項１】
並行して配置された一対の柄装着帯部の間を糸条が各柄装着帯部で縫着されながら多数回往復することにより、柄装着帯部間に前記糸条から成る払拭面部が形成され、払拭面部における柄装着帯部間の略中央部が折り返されて一対の柄装着帯部が着脱自在に重ね合わせられ、重ね合わせられた一対の柄装着帯部が一体でモップ柄の挟持具に挟持されるように構成されているモップ用払拭体。
【請求項２】
一対の柄装着帯部における糸条往復方向外端のそれぞれの端辺部が、各柄装着帯部を糸条往復方向に折り返し可能にして連結されている請求項１に記載のモップ用払拭体。
【請求項３】
柄装着帯部と所定の先端位置との間を糸条が柄装着帯部で縫着されながら多数回往復することにより、柄装着帯部と所定の先端位置の間に前記糸条から成る払拭面部を有する払拭ユニットが形成され、前記払拭ユニットの２つが、それぞれの柄装着帯部における払拭面部とは反対側の端辺部で糸条往復方向に折り返し可能にして連結されているモップ用払拭体。
【発明の詳細な説明】
【０００１】
【発明の属する技術分野】
本発明は、モップ柄の挟持具に取付けられて、例えばビルフロアなどの払拭清掃に用いられるモップ用払拭体に関するものである。
【０００２】
【従来の技術】
これまで、本発明者はモップ柄の挟持具に挟持されるモップ用払拭体を種々開発してきたが、そのうちのひとつが下記の特許文献１に開示されている。かかる文献開示のモップ用払拭体では、モップ柄の挟持具に挟持される柄装着帯部に多数の糸条が縫着されている。ところが、糸条の先端は裁断時のままであるため、使用時に糸条の先端がほつれて団子状になることがあり、ほつれに起因する糸くずの発生が多いという不都合もあった。
【０００３】
【特許文献１】
特開平８−１０２０６号公報
【０００４】
そこで、図１０および図１１に示すモップ用払拭体が市場に提供されている。このモップ用払拭体５１は、柄装着帯部５２と所定の先端位置５３との間を糸条５４が柄装着帯部５２で縫着（縫目５６）されながら多数回往復して形成されている。これにより、柄装着帯部５２と先端位置５３の間に、糸条５４から成る払拭面部が形成されている。糸条５４は先端位置５３で折り返されていて使用時のほつれを防ぐようになっている。前記の払拭面部は表側面と裏側面がそれぞれ払拭作業に使用される。
【０００５】
【発明が解決しようとする課題】
しかしながら、前記従来のモップ用払拭体５１では、払拭面部の表側面と裏側面といった２面しか払拭作業に使用されないため、洗浄液への浸漬、洗浄、搾り作業を頻繁に行わなければならず作業性の改善要請があった。また、払拭面部は多数の糸条５４で単一の束として形成されているため、内部に位置する糸条５４まで洗濯が行き届かず汚れが残ることが多く、また乾きにくいという不具合もある。
【０００６】
本発明は、上記した従来の問題点に鑑みてなされたものであって、払拭作業の作業効率を高くすることのできるモップ用払拭体の提供を目的とするものである。
【０００７】
【課題を解決するための手段】
上記目的を達成するために、本発明に係るモップ用払拭体は、並行して配置された一対の柄装着帯部の間を糸条が各柄装着帯部で縫着されながら多数回往復することにより、柄装着帯部間に前記糸条から成る払拭面部が形成され、払拭面部における柄装着帯部間の略中央部が折り返されて一対の柄装着帯部が着脱自在に重ね合わせられ、重ね合わせられた一対の柄装着帯部が一体でモップ柄の挟持具に挟持されるように構成されたものである。
【０００８】
また、前記構成において、一対の柄装着帯部における糸条往復方向外端のそれぞれの端辺部が、各柄装着帯部を糸条往復方向に折り返し可能にして連結されているものである。
【０００９】
そして、本発明に係るモップ用払拭体は、柄装着帯部と所定の先端位置との間を糸条が柄装着帯部で縫着されながら多数回往復することにより、柄装着帯部と所定の先端位置の間に前記糸条から成る払拭面部を有する払拭ユニットが形成され、前記払拭ユニットの２つが、それぞれの柄装着帯部における払拭面部とは反対側の端辺部で糸条往復方向に折り返し可能にして連結されているものである。
【００１０】
【発明の実施の形態】
本発明の実施の形態を図面に基づいて説明する。
ここに、図１は本発明の一実施形態に係るモップ用払拭体の正面図、図２は前記モップ用払拭体の概略構造を正面からみた模式図、図３は前記モップ用払拭体の概略構造を側面からみた模式図である。
各図において、本実施形態に係るモップ用払拭体１では、例えばナイロン製で長尺の一対の柄装着帯部２Ａ，２Ｂが並行して配置されている。これら一対の柄装着帯部２Ａ，２Ｂの間には、糸条４が折り返しにより矢印Ｇ方向に多数回往復して配置されている。この例における１本の糸条４は２０本程度の木綿糸を撚った紐状のものを用いてあるが、糸条４の素材としては、他に例えば木綿とレーヨンの混紡糸や木綿とポリエステルの混紡糸などを用いることができる。
【００１１】
糸条４の折り返し部分５Ａ，５Ｂは柄装着帯部２Ａ，２Ｂの長尺方向（矢印Ｌ方向）に少しずつずらせて配置されている。そして、糸条４の折り返し部分５Ａ，５Ｂは、それぞれ柄装着帯部２Ａ，２Ｂに包まれた状態で縫目６，６のように縫着されている。これにより、柄装着帯部２Ａ，２Ｂの間に、いずれも糸条４から成る、払拭面部１２（裏側は払拭面部１４）および払拭面部１３（裏側は払拭面部１５）が形成される。尚、払拭面部１２（払拭面部１４）は柄装着帯部２Ａ，２Ｂ間のほぼ中央部（図中一点鎖線Ｒで示す部分）と柄装着帯部２Ａの間に形成され、払拭面部１３（払拭面部１５）は前記中央部と柄装着帯部２Ｂの間に形成されている。
【００１２】
前記のように多数回往復配置された糸条４は前記中央部で両側外向き（矢印Ｌ方向）に拡げられている。そして、糸条４は前記中央部から柄装着帯部２Ａ寄りの位置で、柄装着帯部２Ａよりも長尺で例えばナイロン製の留め布７Ａに縫着（縫目８）されている。また、糸条４は前記中央部よりも柄装着帯部２Ｂ寄りの位置で、柄装着帯部２Ｂよりも長尺で例えばナイロン製の留め布７Ｂに縫着（縫目８）されている。
柄装着帯部２Ａにおける表面、糸条往復方向（矢印Ｇ方向）外端の端辺部３Ａ、更には裏面にかけて、例えば面ファスナの一部材である第１係合部９，９が縫着されている。また、柄装着帯部２Ｂにおける表面、糸条往復方向外端の端辺部３Ｂ、更には裏面にかけて、前記一部材と係脱自在に係合する面ファスナ相方部材の第２係合部１０，１０が縫着されている。尚、これらの第１係合部９と第２係合部１０は面ファスナ以外に例えばホックなどでもよい。あるいは、一体に重ね合わせた柄装着帯部２Ａと柄装着帯部２Ｂがモップ柄の挟持具に確実に挟持される構造であれば、第１係合部９と第２係合部１０を設けなくても構わない。
【００１３】
上述のように構成されたモップ用払拭体１は、図４に示すように、糸条４における柄装着帯部２Ａ，２Ｂ間の中央部（一点鎖線Ｒの位置）が矢印Ｖのように折り返されて柄装着帯部２Ａ，２Ｂが重ね合わせられる。このとき、第１係合部９，９と第２係合部１０、１０を係合させておく。すると、糸条４の前記中央部が折り返し部１１となり、外側の一面に払拭面部１２が現れ、外側の他面に払拭面部１３が現れる。払拭面部１４，１５は内側に隠れている。
【００１４】
そして、モップ用払拭体１は、図５に示すように、一体に重ね合わせた柄装着帯部２Ａ，２Ｂがモップ柄Ａの挟持具Ｂに挟持されて使用される。利用者は、まずモップ用払拭体１の糸条４を図外の洗浄液に浸漬させたのちによく搾り、例えば糸条４の払拭面部１２を用いてフロアを払拭する。そのうち、払拭面部１２が汚れてくると、払拭面部１３を用いてフロアを払拭する。払拭面部１３が一定まで汚れると、挟持具Ｂから柄装着帯部２Ａ，２Ｂを取り外し、第１係合部９，９と第２係合部１０，１０を引き離して糸条４を拡げる。そして、糸条４の中央部（一点鎖線Ｒの位置）を、先ほどとは逆向き（図４中の矢印Ｖの反対方向）に折り返して柄装着帯部２Ａ，２Ｂを重ね合わせる。これにより、外側の一面に払拭面部１５が現れ、外側の他面に払拭面部１４が現れる。この状態で、重ね合わせた柄装着帯部２Ａ，２Ｂを挟持具Ｂに再び挟持させ、払拭面部１４と払拭面部１５を順次用いてフロア拭きを実施するのである。
【００１５】
すなわち、このモップ用払拭体１は払拭面部を裏返して挟持具Ｂにセットすることにより、４つの払拭面部１２，１３，１４，１５を個別に使うことができる。従って、従来のモップ用払拭体５１（図１０，１１）と比べ２倍の数の払拭面で払拭作業を行うことができ、洗浄液への浸漬、洗浄、搾り作業が２分の１の頻度で済むため、作業効率が向上する。また、糸条４の先端はループ状の折り返し部１１となっているので、使用時において糸条４の先端がほぐれることがなく、糸くずの発生も激減する。一方、作業終了後の洗濯時には、柄装着帯部２Ａ，２Ｂを互いに離すことにより、払拭面部１２，１３，１４，１５が展開されるので、払拭体全体にわたり洗濯が行き届いて十分に汚れが落とされる。更には、払拭面部１２，１３，１４，１５を展開させた状態で干せるので、空気や日光に晒されやすく乾きが早い。
【００１６】
上記の実施形態では、柄装着帯部２Ａ，２Ｂが分離するものを例示したが、本発明のモップ用払拭体はそれに限定されるものでない。例えば、図６に示したモップ用払拭体１ａも本発明に含まれる。
このモップ用払拭体１ａは先述したモップ用払拭体１と構造がほとんど同じであるが、柄装着帯部２Ａにおける糸条往復方向（矢印Ｇ方向）外端の端辺部３Ａと、柄装着帯部２Ｂにおける糸条往復方向外端の端辺部３Ｂとが、例えばナイロン布製の連結部材１６を介して連結された点で異なっている。連結部材１６は柄装着帯部２Ａ，２Ｂの長尺方向に適宜間隔で複数個配置するとよい。前記した連結部材１６の介在により、各柄装着帯部２Ａ，２Ｂは糸条往復方向に折り返し可能となっている。また、内外の払拭面部を表裏反転させなければならないため、糸条４は表裏反転を妨げない長さに設定されている。
【００１７】
モップ用払拭体１ａにおいて、内側にあった払拭面部を使用する際には、モップ用払拭体１ａ全体を裏返して内側の払拭面部を外側に出す。このとき、柄装着帯部２Ａ，２Ｂは連結部材１６を境に折り返され、それまで内側にあった面を外側にして重ね合わせられ挟持具Ｂに挟持される。このように用いることにより、モップ用払拭体１の場合と同様に、４面の払拭面部をそれぞれ使用して払拭作業を効率よく行うことができる。また、連結部材１６の連結により、払拭体全体としてコンパクトな構成になる。
【００１８】
一方、他の実施形態に係るモップ用払拭体を図７および図８に示す。各図に示したモップ用払拭体１ｂは、２つの払拭ユニット２０Ａ，２０Ｂと、これらを連結する連結部材１６とから成っている。払拭ユニット２０Ａは、柄装着帯部２Ａと所定の先端位置１７Ａとの間を糸条４が柄装着帯部２Ａで縫目６のように縫着されながら多数回往復することによって構成されており、柄装着帯部２Ａと先端位置１７Ａの間に糸条４から成る払拭面部１２（裏側は払拭面部１４）が形成されている。払拭ユニット２０Ｂも、柄装着帯部２Ｂと所定の先端位置１７Ｂとの間を糸条４が柄装着帯部２Ｂで縫目６のように縫着されながら多数回往復することによって構成されており、柄装着帯部２Ｂと先端位置１７Ｂの間に糸条４から成る払拭面部１３（裏側は払拭面部１５）が形成されている。
【００１９】
これら２つの払拭ユニット２０Ａ，２０Ｂは、それぞれの柄装着帯部２Ａ，２Ｂの前記払拭面部１２（１４），１３（１５）とは反対側に位置する端辺部３Ａ，３Ｂにおいて、例えばナイロン布製の連結部材１６，１６，１６，１６を介して連結されている。これらの連結部材１６，１６，１６，１６の介在により、払拭ユニット２０Ａ，２０Ｂは一点鎖線Ｒの位置で糸条往復方向（矢印Ｇ方向）に折り返し可能になっている。糸条４は柄装着帯部２Ａ，２Ｂ側よりも先端位置１７Ａ，１７Ｂ側を矢印Ｌ方向に広げて配置され、先端位置１７Ａ，１７Ｂの近くで留め布７Ａ，７Ｂにそれぞれ縫着（縫目８）されている。
【００２０】
このモップ用払拭体１ｂについても、４面の払拭面部１２，１３，１４，１５をそれぞれ用いて効率よく払拭作業を行うことができ、洗濯や乾燥が容易である。
【００２１】
更に他のモップ用払拭体を図９に示す。図に示したモップ用払拭体１ｃは、払拭ユニット２０Ａ，２０Ｂを用いた先述のモップ用払拭体１ｂに似た構成であるが、連結部材１６を用いることなく、柄装着帯部２Ａと柄装着帯部２Ｂを重ね合わせた状態で縫目１８のように一体に縫着した点で異なる。柄装着帯部２Ａの外側の内方と柄装着帯部２Ｂの外側の内方には、二つ折りにしたバイアス布１９がそれぞれ収容されている。これにより、バイアス布１９収容位置の柄装着帯部２Ａ，２Ｂには、それぞれ前後に膨出した膨出部２１Ａ，２１Ｂが形成されている。これらの膨出部２１Ａ，２１Ｂの存在により、柄装着帯部２Ａ，２Ｂが挟持具Ｂに確実に挟持される。
【００２２】
このモップ用払拭体１ｃによれば、いずれも内側にある払拭面部１４または払拭面部１５をそれぞれ単独で使用することはできないが、「払拭面部１２のみ」、「払拭面部１３のみ」、「払拭面部１４および払拭面部１５」といった３態様で払拭作業を行うことができる。また、払拭ユニット２０Ａと払拭ユニット２０Ｂは展開可能であるので、洗濯や乾燥もしやすい。
【００２３】
【発明の効果】
以上詳述したように、本発明に係るモップ用払拭体によれば、４面の払拭面部を個別に使えるので、従来と比べ２倍の数の払拭面で払拭作業を行うことができる。これにより、洗浄液への浸漬、洗浄、搾り作業が２分の１の頻度で済むため、作業効率が向上する。また、糸条の先端は折り返し部となっているので、使用時における糸条先端のほつれや糸くず発生の問題が解消される。そして、払拭面部が展開されるので、払拭体全体にわたり洗濯が行き届いて十分に汚れが落とされ、更には空気や日光に晒されやすく洗濯後の乾きが早い。
【００２４】
また、一対の柄装着帯部における糸条往復方向外端のそれぞれの端辺部が、各柄装着帯部を糸条往復方向に折り返し可能にして連結されている場合は、払拭体全体としてコンパクトな構成となる。
【図面の簡単な説明】
【図１】本発明の一実施形態に係るモップ用払拭体の正面図である。
【図２】前記モップ用払拭体の概略構造を正面からみた模式図である。
【図３】前記モップ用払拭体の概略構造を側面からみた模式図である。
【図４】前記モップ用払拭体の折り畳み状態を側面からみた模式図である。
【図５】前記モップ用払拭体の使用態様図である。
【図６】本発明の別の実施形態に係るモップ用払拭体の概略構造を側面からみた模式図である。
【図７】本発明の他の実施形態に係るモップ用払拭体の正面図である。
【図８】前記他のモップ用払拭体の概略構造を正面からみた模式図である。
【図９】本発明の更に他の実施形態に係るモップ用払拭体を側面からみた模式図である。
【図１０】従来のモップ用払拭体の正面図である。
【図１１】前記従来のモップ用払拭体を正面からみた模式図である。
【符号の説明】
１，１ａ，１ｂ，１ｃ  モップ用払拭体
２Ａ，２Ｂ  柄装着帯部
３Ａ，３Ｂ  端辺部
４    糸条
５Ａ，５Ｂ  折り返し部
６    縫目
１１  折り返し部
１２，１３，１４，１５  払拭面部
１６  連結部材
１７Ａ，１７Ｂ  先端位置
２０Ａ，２０Ｂ  払拭ユニット
Ａ    モップ柄
Ｂ    挟持具
Ｒ    一点鎖線
Ｇ    矢印
Ｖ    矢印
【図１】
2004166857.tif 000003
【図２】
2004166857.tif 000004
【図３】
2004166857.tif 000005
【図４】
2004166857.tif 000006
【図５】
2004166857.tif 000007
【図６】
2004166857.tif 000008
【図７】
2004166857.tif 000009
【図８】
2004166857.tif 000010
【図９】
2004166857.tif 000011
【図１０】
2004166857.tif 000012
【図１１】
2004166857.tif 000013